(57)【要約】      （修正有）【課題】  自動車等の用途で使用されるＬＥＤに対する単純なヒートシンク構造を備えたランプを提供する。【解決手段】  本発明のランプ１０は側壁１６とともに底部１４を有するカップ型本体部１２を備える。本体部は熱伝導性である。平面状の底部及び側壁の内面にはＬＥＤ２２からの光を反射するためのコーティング２０が備えられている。ＬＥＤは熱伝導性で、電気絶縁性の連結部２４に取付けられており、底部の中央に配置されている。レンズ２６はＬＥＤから放射される光を所望の方向に方向付けるために備えられ、好まれるものとして、フレネル光学部材である。レンズは開口部１８を閉鎖してもよいし、または、底部とともに一体化された部品として形成されてもよい。あるいは、底部に備えられてもよい。あるいは、外面または内面のレンズ要素とともに中実状に形成されてもよい。ＬＥＤへの電気接続２８，３０は本体部を通って拡張する。【選択図】  図１
2006032346.tif 000002
【特許請求の範囲】
【請求項１】
上部を画定する直立した周囲の側壁とともに平面状の底部を備えたカップ型の本体部；
前記平面状の底部及び側壁の内面の反射性コーティング；
前記平面状の底部の実質的に中央に配置された熱伝導連結部に取付けられた、単一の側方放射型ＬＥＤ；
前記ＬＥＤから放射される光のビームを所望の方向に向けるためのレンズ；及び、
前記カップ型本体部を通って拡張する前記ＬＥＤへの電気接続を備えるランプ。
【請求項２】
前記カップ型本体部が前記ＬＥＤの動作によって発生する熱を前記ランプから排除するために熱伝導性である、請求項１に記載のランプ。
【請求項３】
前記レンズが前記ＬＥＤの動作中に発生する前記光のビームを拡散させるためにフレネル光学部材を含む、請求項１に記載のランプ。
【請求項４】
前記レンズが前記上部（開口部）を閉鎖する、請求項３に記載のランプ。
【請求項５】
前記レンズが前記平面状の底部上に形成されている、請求項３に記載のランプ。
【請求項６】
前記ランプが前記ＬＥＤに制御された電力を供給する回路構成を含む、請求項１に記載のランプ。
【請求項７】
前記回路構成が前記カップ型本体部の外部に配置されている、請求項６に記載のランプ。
【発明の詳細な説明】
【技術分野】
【０００１】
本願は２００４年７月１６日に出願された米国特許出願No.60/588,471の優先権を主張する。
【０００２】
本発明は光源、特に、発光ダイオードＬＥＤを利用する光源に関する。さらに詳細に述べると、本発明はヘッドライト、テールライト、ストップライト、フォグライト、方向指示器等の自動車の分野での使用に便利な光源に関する。
【背景技術】
【０００３】
従来、ほとんどの自動車の光源は白熱球を使用してきた。白熱球は良好に動作し、安価であるが、それらに使用されている細いフィラメントが振動によって破損しやすいため、それらの寿命は比較的短い。
【０００４】
ＬＥＤは固体素子（または、ソリッドステート）の光源であり、長寿命であるので需要が高まりつつある。しかしながら、ＬＥＤは自動車の分野で要求される電力で駆動された場合比較的大きな熱を発生し、高効率で動作させるためには入念な（または、精巧な）ヒートシンクを必要とすることが判ってきている（例えば、特許文献１参照）。
【０００５】
【特許文献１】特開２００５−７２６００号公報
【発明の開示】
【発明が解決しようとする課題】
【０００６】
したがって、ＬＥＤ、特に自動車の用途で使用されるＬＥＤに対するヒートシンク（または、放熱）を単純化または容易化することがこの分野で望まれている。
【０００７】
したがって、本発明の目的は上述の従来技術の欠点を克服することである。本発明のもう１つの目的はＬＥＤ光源を向上または増強させることである。
【課題を解決するための手段】
【０００８】
これらの目的は本発明の１つの側面に従うと、上部を画定する直立した周囲の側壁を有する平面状の底部を備えたカップ型の本体部；前記平面状の底部及び側壁の内面の反射性コーティング；前記平面状の底部の実質的に中央に配置された熱伝導連結部に取付けられた、単一の側方放射型ＬＥＤ；前記ＬＥＤから放射される光のビームを所望の方向に向けるためのレンズ；及び、前記カップ型本体部を通って拡張する前記ＬＥＤへの電気接続を備えるランプによって達成される。
【０００９】
本発明の好まれる実施例において、カップ型本体部は熱伝導性であり、それにより付加的なヒートシンクの必要性を排除する。
【発明の効果】
【００１０】
本発明の単純で製造の容易なヒートシンクは従来技術より高効率、長寿命、かつ製造の容易なＬＥＤ光学装置を可能にする。
【発明を実施するための最良の形態】
【００１１】
本発明の上述及び他の目的、長所、及び能力、並びに本発明自体の理解のために、以下に、図面とともに本発明を詳細に説明する。
【００１２】
図面を参照すると、図１には上部（開口部）１８を画定する直立状の周囲の側壁１６とともに平面状の底部１４を有するカップ型本体部１２を備えたランプ１０が示されている。
【００１３】
本体部１２は熱伝導性であり、好まれるものとしてアルミニウム等の金属製である。
【００１４】
平面状の底部１４及び側壁１６の内面には単一の側方放射型ＬＥＤ２２によって発生する光を反射するための反射性のコーティング２０が適用されている。単一の側方放射型ＬＥＤ２２は熱伝導性で、電気絶縁性の連結部２４に取付けられており、平面状の底部１４の実質的に中央に配置されている。
【００１５】
レンズ２６はＬＥＤ２２から放射される光の光線を所望の方向に方向付けるために備えられ、好まれるものとして、フレネル光学部材（Fresnel optic）である。図１に示されているように、レンズ２６は開口部１８を閉鎖した状態で取付けられてもよいし、または、底部１４とともに一体化された部品として形成されてもよい。あるいは、レンズ２６は図２に示されているように、底部１４上に備えられてもよい。あるいは、レンズ２６は図４に示されているように、レンズ要素を外面に備えた中実型の部材であってもよいし、または、図５に示されているように、レンズ要素を内面に備えた中実型の部材であってもよい。ＬＥＤへの電気接続２８，３０はカップ型本体部１２を通って拡張する。
【００１６】
ＬＥＤには、例えば、プリント回路板３４等上の回路構成（または、回路配線）３２を介して制御された電力が供給されてもよい。回路板３４は、レンズ２６が開口部１８を閉鎖する場合、本体部１２及びレンズ２６によって形成される空洞内に配置されてもよいし、または、図３に示されているように本体部１２の外部に配置されてもよい。ランプにはまた、電源への接続のためのコネクター３８が備えられてもよい。
【００１７】
また、必要であれば、ねじ溝が付けられたスタッド（または、ボルト）３６等の、ランプ１０のための取付け具が本体部１２に備えられてもよい。
【００１８】
前述の全ての実施例は単一のＬＥＤを備えたフラットパッケージ（または、フラット型の外形）を与える。
【００１９】
ここまで、本発明の好まれる実施例が図示され説明されてきたが、付随する請求の範囲によって規定される本発明の範囲から外れることなく、これらの実施例に多様な変更及び改良を加えることができることは当業者にとって明白であるだろう。
【図面の簡単な説明】
【００２０】
【図１】本発明の実施例の概略的な断面図である。
【図２】本発明の代替的な実施例の概略的な断面図である。
【図３】本発明のもう１つの代替的な実施例の概略的な断面図である。
【図４】本発明のもう１つの代替的な実施例の概略的な断面図である。
【図５】本発明のもう１つの代替的な実施例の概略的な断面図である。
【符号の説明】
【００２１】
１０  ランプ
１２  カップ型本体部
１４  平面状の底部
１６  直立状の周囲の側壁
１８  上部（開口部）
２０  反射性コーティング
２２  ＬＥＤ
２４  連結部
２６  レンズ
２８，３０  電気接続
３２  回路構成
３４  プリント回路板
３６  スタッド（ボルト）
【図１】
2006032346.tif 000003
【図２】
2006032346.tif 000004
【図３】
2006032346.tif 000005
【図４】
2006032346.tif 000006
【図５】
2006032346.tif 000007